(57)【要約】      （修正有）【課題】洗浄対象の曲面や凹凸面等に対しても回転ブラシの回転力を落さずに、効率よく洗浄可能にする回転式洗浄装置を提供する。【解決手段】把手部１１にバッテリを収納するバッテリ収納部およびモータ駆動用の電源スイッチ２０を設け、把手部１１にアルミパイプからなる操作杆１２の一端を連結し、他端にモータを収納するヘッド部１３を取り付け、このヘッド部１３の先端にモータによって駆動される回転ブラシ１４を着脱可能に取り付け、操作杆１２に沿うように、給水操作栓１６を介して給水ホース１５が接続される給水チューブを設ける。この給水チューブの先端に、この給水チューブを通して送出された洗浄水を回転ブラシ１４に向って噴射する噴射ノズル１８を取り付け、洗浄水の供給を続けながら回転ブラシ１４による洗浄を実施可能にする。【選択図】図１
0003180624.tif 000002
【実用新案登録請求の範囲】
【請求項１】
バッテリを内部に収納するとともに、該バッテリの電力をモータに供給する際に投入される電源スイッチを有する把手部と、
該把手部に一端が連結され、他端に前記モータを収納するヘッド部が取り付けられたアルミパイプまたは軽量のプラスチック管からなる操作杆と、
前記ヘッド部の先端に着脱可能に取り付けられて、前記モータの駆動によって回転する回転ブラシと、
前記操作杆に沿うように設けられ、一端部に給水操作栓を介して給水ホースが接続される給水チューブと、
該給水チューブの他端部に取り付けられて、該給水チューブを通して送出される洗浄水を前記回転ブラシに向かって噴射する噴射ノズルと、
を備えて、
前記給水操作栓の操作による前記噴射ノズルへの洗浄水の供給および前記モータの駆動による回転ブラシの回転により洗浄対象の洗浄を実施可能にしたことを特徴とする回転式洗浄装置。
【考案の詳細な説明】
【技術分野】
【０００１】
本考案は、新幹線の車両や一般旅客車両の先頭車前面、自動車、バスなどの窓ガラス等を洗浄するのに使用する回転式洗浄装置に関する。
【背景技術】
【０００２】
従来から、鉄道車両の側面洗浄は、洗浄ブラシが設けられたトンネル内に車体を通過させることにより行われていた。しかし、先頭車の前面はこの洗浄ブラシでは洗浄が不可能であり、しかも先頭部が曲面に形成されているところから、人力によるブラシ洗浄が行われている（例えば、特許文献１、特許文献２参照）。
【０００３】
ところが、人力による車体洗浄作業は、先頭車の前面形状が湾曲しているだけでなく、洗浄対象面積が広いため、作業者は先端に洗浄ブラシを取り付けた長尺の管状把手を両手で支えて洗浄作業を行っており、この作業に熟練と、大きな労力を必要とする。
【０００４】
また、回転羽根を持つ回転体に洗浄ブラシを設け、洗浄液を回転羽根に当てて洗浄ブラシを洗浄液（水道水）の水圧で自動回転させながら洗浄を行う車体洗浄装置が提案されている。
【先行技術文献】
【特許文献】
【０００５】
【特許文献１】実開平５−６７５６６号公報
【特許文献２】特許第３８３７４０８号公報
【考案の概要】
【考案が解決しようとする課題】
【０００６】
しかしながら、かかる従来の車体洗浄装置にあっては、洗浄液の水圧を利用して洗浄ブラシを回転させているため、回転ブラシが先頭車の洗浄対象部位における凹曲面などに押圧された際に、回転ブラシのその凹曲面に対する摩擦抵抗が回転ブラシの回転トルクを超えることによって、洗浄ブラシの回転が止まったり回転速度が低下したりして、所期の洗浄効果が十分に得られないという不都合があった。
【０００７】
本考案は前述のような従来の問題点を解消するものであり、その目的とするところは、洗浄対象の曲面や凹凸面等に対しても大きい回転力で回転ブラシを接触可能にし、以って洗浄水による前記洗浄対象の洗浄を効率よく実施可能にするとともに、その洗浄作業を作業者に大きな負担を強いることなく実施可能にする回転式洗浄装置を得ることにある。
【課題を解決するための手段】
【０００８】
前記目的達成のために、本考案にかかる回転式洗浄装置は、バッテリを内部に収納するとともに、該バッテリの電力をモータに供給する際に投入される電源スイッチを有する把手部と、該把手部に一端が連結され、他端に前記モータを収納するヘッド部が取り付けられたアルミパイプまたは軽量のプラスチック管からなる操作杆と、前記ヘッド部の先端に着脱可能に取り付けられて、前記モータの駆動によって回転する回転ブラシと、前記操作杆に沿うように設けられ、一端部に給水操作栓を介して給水ホースが接続される給水チューブと、該給水チューブの他端部に取り付けられて、該給水チューブを通して送出される洗浄水を前記回転ブラシに向かって噴射する噴射ノズルと、を備えて、前記給水操作栓の操作による前記噴射ノズルへの洗浄水の供給および前記モータの駆動による回転ブラシの回転により洗浄対象の洗浄を実施可能にしたものである。
【０００９】
この構成により、操作杆および把手を両手で支え、把手上の電源スイッチをオン（投入）操作することにより、前記バッテリからモータに電力が供給される。このため、このモータは駆動が開始されて回転ブラシがそのモータの駆動トルクを受けて回転する。この回転ブラシの回転は、電源スイッチの投入中は回転を続け、洗浄部位との摩擦抵抗を受けても回転速度が大きく低下したり回転が停止したりすることはない。
【００１０】
一方、電源スイッチのオン操作に前後して給水操作栓をプッシュ（開）操作すると、給水ホースを通じて所定水圧の水道水（洗浄水）が給水チューブを通じて噴射ノズルに圧送される。このため、噴射ノズルは洗浄水を前記回転ブラシに向けて噴射する。この洗浄水の噴射により回転ブラシからは大量の洗浄液が浸出し、洗浄対象を回転ブラシでブラッシングしながら効率的に水洗いすることとなる。
【００１１】
この時の回転ブラシの回転は、モータのトルクを受けることによってなされるので、モータに電力が供給される限り、洗浄対象との間に少々の摩擦抵抗が生じても停止することはなく、回転ブラシによる洗浄作業を安定的に継続できる。
【考案の効果】
【００１２】
本考案によれば、洗浄対象の曲面や凹凸面等に対しても回転ブラシの回転力を落さずに、洗浄水による前記洗浄対象の洗浄を効率よく実施可能にするとともに、その洗浄作業を作業者に大きな負担を強いることなく実施可能にする。
【００１３】
以上、本考案について簡潔に説明した。更に、以下に本考案を実施するための最良の形態を添付の図面を参照して、詳細に説明する。
【図面の簡単な説明】
【００１４】
【図１】本考案の実施形態による回転式洗浄装置を示す正面図である。
【図２】図１におけるヘッド部の内部構造を示す正面図である。
【図３】図２におけるヘッド部の分解斜視図である。
【図４】図３に示したモータ支持カバーの左側面図である。
【図５】図３に示したギヤーボックスの右側面図である。
【考案を実施するための形態】
【００１５】
以下、本考案の実施の形態にかかる回転式洗浄装置を、図１乃至図５を参照して説明する。
【００１６】
図１は本実施の形態にかかるの回転式洗浄装置の全体を示し、この回転式洗浄装置は作業者が手で支えて握る把手部１１と、この把手部１１に連設された操作菅１２と、この操作杆１２の先端に取り付けられたヘッド部１３と、このヘッド部１３に回転自在に取り付けられた回転ブラシ１４と、水道栓に繋がれた給水ホース１５に給水操作栓１６を介して接続された給水チューブ１７と、この給水チューブ１７の先端に取り付けられた洗浄液（ここでは、水道水）の噴射ノズル１８とを備えて構成される。
【００１７】
これらのうち、前記把手部１１は人が手で握ることできるサイズ（長さおよび径）の筒状容器からなり、この筒状容器はキャップ部１１ａおよびケース部１１ｂからなる。キャップ部１１ａはケース部１１ｂの開口を塞ぐ部分であり、ケース部１１ｂはバッテリを収納するバッテリ収納部となっている。この筒状容器である把手部１１内にはバッテリが交換可能に収納される。
【００１８】
これらのキャップ部１１ａおよびケース部１１ｂは、これらの嵌合部に突設されたプッシュボタン１９のプッシュ操作により分離可能になっており、ケース部１１ｂの外周には電源スイッチ２０が取り付けられている。この電源スイッチ２０は後述のモータに前記バッテリの電力を供給したり、遮断したりするように操作される。
【００１９】
操作杆１２はアルミパイプや軽量のプラスチック管からなり、この操作杆１２の一端が前記キャップ部１１ａに連結され、他端にはヘッド部１３が取り付けられている。このヘッド部１３は操作杆１２に対して着脱可能に取り付けられており、この着脱は着脱ボタン２１のプッシュ操作によって任意に行えるようになっている。
【００２０】
なお、ヘッド１３に設けられたモータおよびケース部１１ｂ内のバッテリは、電源スイッチ２０の接触子、キャプ部１１aとケース部１１ｂとの接続部分の接触子、操作杆１２とヘッド部１３との接続部分の接触子をそれぞれ介して、操作杆１２内に配置されたリード線によって電気的に接続されている。従って、電源スイッチ２０のオン操作時に前記モータはバッテリが発生する電力を受けて回転し、これにより回転ブラシ１４も回転する。
【００２１】
この回転ブラシ１４はヘッド部１３のブラシ取付部に着脱可能に装着されて、前記モータの回転によって回転する。図２〜図５は、そのヘッド部１３の内部構造を示す。このヘッド部１３は前述したモータ３１と、モータ支持カバー３２と、ギヤーボックス３３と、ブラシ取付カップ３４とを備える。これらのうちモータ３１は駆動軸３５の先端にピニオンギヤー３６を備える。モータ３１には前記バッテリから電力の供給を受ける２本のリード線３７を介して接続端子３８が接続されている。これらの接続端子３８は操作杆１２内に配置された２本のリード線の各一端に接続されている。
【００２２】
モータ支持カバー３２は全体として円板状をなし、このモータ支持カバー３２には中心部に前記駆動軸３５およびピニオンギヤー３６が挿通される、図４に示すような中心孔３９を有する。また、このモータ支持カバー３２の片側には、モータ３１外周の一部に係止して、これを保持するための複数のモータ保持片４０が突設されている。
【００２３】
このモータ保持片４０が設けられる側とは反対側の面に、円柱状の３個の取付突起４１および円柱状の３個の保持突起４２が円周方向に交互に配置されている。取付突起４１は中心部に取付孔４３が設けられ、前記ギヤーボックス３３外周に等間隔に設けられた３個の取付片４４のそれぞれに当接され、この取付片４４に設けられたねじ孔４５にねじをねじ込むことで、図２に示すように一体結合可能となっている。なお、このねじ込みにより、モータ支持カバー３２にギヤーボックス３３を結合したとき、保持突起４２外周の一部がそのギヤーボックス３３の外周を３箇所で接するように保持することとなる。
【００２４】
一方、ギヤーボックス３３は図上右側方に開口してカップ状をなし、このギヤーボックス３３の底となる部分（側部）に、円周方向に３個の軸４６が等間隔に植設され、これらに小径ギヤー４７が回転自在に支持されている。また、３個の小径ギヤー４７は、モータ支持カバー３２の中心孔３９を貫通してギヤーボックス３３内に挿入されたピニオンギヤー３６に噛合されて、このピニオンギヤー３６の回転とともに同一方向に回転可能になっている。さらに、これらの３個の小径ギヤー４７にはギヤーボックス３３内で円滑回転可能に支持された内歯タイプの内ギヤー４８が噛合されている。この内ギヤー４８は小径ギヤー４７に比べて歯数が少ないので小径ギヤー４７の回転速度に対しこれらのギヤー比分遅い速度で回転することとなる。
【００２５】
そして、内ギヤー４８は、この内ギヤー４８に一体の前記ブラシ取付カップ３４を回転させるので、このブラシ取付カップ３４に取り付けられた回転ブラシ１４も共に回転することとなる。回転ブラシ１４はブラシ取付カップ３４に装着できるものであれば、その形態に制約なく使用可能である。なお、ギヤーボックス３３の前部は、ブラシ取付カップ３４より大径の遮水部材５０をなす。この遮水部材５０は回転ブラシ１４による洗浄作業中に、洗浄対象物から跳ね返った噴射水の飛沫が後方に跳ね返って給水操作栓付近や手元を濡らすのを防止するように機能する。
【００２６】
一方、前記給水ホース１５は水道栓に一端が接続され、他端が給水操作栓１６接続されている。この給水操作栓１６は握り部分にプッシュレバー５１を有し、このプッシュレバー５１の握り操作によって、給水ホース１５を通して洗浄水としての水道水を給水チューブ１７を介して噴射ノズル１８に供給することができる。この給水チューブ１７としてアルミチューブや軽量のプラスチック管などの軽量管が用いられ、これを前記操作杆１２に沿うように設けて、バンドなどにより固定することができる。
【００２７】
前記噴射ノズル１８は、給水チューブ１７を通して圧送される洗浄水をブラシ取付部に取り付けられた回転ブラシ１４の基部（裏面部）付近に向けて噴射する。このため洗浄水を回転ブラシ１４の背面側から前面側へ強い水圧で滲出させるように機能する。これにより洗浄水は回転ブラシ１４前部から吐出（流出）されるようになる。
【００２８】
かかる構成になる回転式洗浄装置を使用するには、把手部１１と操作杆１２の一部をそれぞれ左右の手で支持し、電源スイッチ２０の投入操作をする。これにより、把手部１１内の電池ケースに収納された前記バッテリから操作杆１２内のリード線、接続端子３８、リード線３７をそれぞれ介してヘッド部１３内のモータ３１に電力が供給される。このためモータ３１は回転し、このモータ３１の回転によって、駆動軸３５に取り付けられたピニオンギヤー３６が回転し、このピニオンギヤー３６に噛合された３個の小径ギヤー４７はともに同一方向に回転する。
【００２９】
このため、これらの小径ギヤー４７に噛合されている内ギヤー４８は、小径ギヤー４７とのギヤー比に応じて低速回転する。この内ギヤー４８の回転はカップ状のブラシ取付部材３４に伝えられ、このブラシ取付部材に取り付けられている回転ブラシ１４が所定速度で回転する。これにより前記洗浄対象の表面を警戒にブラッシングすることができる。
【００３０】
一方、電源スイッチ２０の投入操作に前後して、前記給水操作栓１６上のプッシュレンバー５１をプッシュ操作する。これによって、給水操作栓１６の弁が開かれて、洗浄水が給水チューブ１７を通じて噴射ノズル１８に供給される。噴射ノズル１８は洗浄水をその水圧によって回転ブラシ１４の背面側に噴射するが、その洗浄水はその噴射圧によって回転ブラシの背面側から前面側に滲み出す。このため、回転ブラシ１４は洗浄対象に接触しながらこの洗浄対象をブラッシングしながら、その前面側に滲み出た洗浄液で洗浄する。なお、必要に応じて、噴射ノズル１８から噴射させる水溶液の前部または一部を、洗浄対象に向かって直接噴射可能にするように、この噴射ノズル１８の向きを調整自在とすることは任意である。
【００３１】
水圧を利用して回転ブラシを回転させる従来方法とは異なり、本実施形態では回転ブラシ１４をモータ３１によって強制的に回転させるため、洗浄対象が凹み部や角張った部分であって回転ブラシとの接触抵抗が大きい場合であっても、これらの洗浄部位を確実に洗浄することができる。
【００３２】
また、本実施形態では操作杆１２としてアルミ菅や軽量のプラスチック管を用い、モータ３１をバッテリで駆動できる省エネ型で小形のモータとし、装置全体の重量を軽減することで、作業者の作業負担を軽減でき、汎用性および経済性の点でのメリットも得られる。
【００３３】
以上のように、本実施形態による回転式洗浄装置は、把手部１１にバッテリを収納するバッテリ収納部およびモータ駆動用の電源スイッチ２０を有し、把手部１１にアルミパイプ管からなる操作杆１２の一端を連結し、他端にモータ３１を収納するヘッド部１３を取り付け、このヘッド部１３の先端にモータ３１によって駆動される回転ブラシ１４を着脱可能に取り付け、操作杆１２に沿うように、給水操作栓１６を介して給水ホース１５が接続された給水チューブ１７を設け、この給水チューブ１７の先端に、この給水チューブ１７を通して送出された洗浄水を回転ブラシ１４に向って噴射する噴射ノズル１８を取り付け、洗浄水の供給を続けながら回転ブラシ１４による洗浄を実施可能にした構成である。
【００３４】
これにより、把手部１１上の電源スイッチ２０のオン（投入）操作により、バッテリからモータ３１に電力が供給され、このモータ３１は駆動が開始されて回転ブラシ１４が回転するが、電源スイッチ２０の投入中はその回転を続け、回転ブラシ１４が洗浄対称の凹み部や尖った部分に差し掛かることによって大きな摩擦抵抗を受けても、回転を停止することはなく、洗浄作業が強力に実行される。これに前後して給水操作栓をプッシュ（開）操作すると、水道水（洗浄水）が給水チューブ１７を通じて噴射ノズル１８に圧送されるので、噴射ノズル１８から洗浄水が回転ブラシ１４に向けて噴射する。この洗浄水の噴射を受けて、回転ブラシ１４は大量の洗浄液により浸潤され、洗浄対象をブラッシングしながら効率的に水洗いすることができる。
【００３５】
この時の回転ブラシ１４の回転は、モータ３１のトルクを受けることによってなされるので、モータ３１に電力が供給される限り、洗浄対象との間に少々の摩擦抵抗が生じても停止することはなく、回転ブラシ１４による洗浄作業を安定的に継続できる。さらに、操作杆１２としてアルミ菅や軽量のプラスチック管を用い、モータ３１をバッテリで駆動できる省エネ型で小形のモータとすることで、作業者の作業負担を軽減できる。
【産業上の利用可能性】
【００３６】
本考案の回転式洗浄装置は、洗浄対象の曲面や凹凸面等に対しても回転ブラシの回転力を落さずに、洗浄水による前記洗浄対象の洗浄を効率よく実施可能にするとともに、その洗浄作業を作業者に大きな負担を強いることなく実施できるという効果を有し、新幹線の車両や一般旅客車両の先頭車前面、自動車、バスなどの窓ガラス等を洗浄するのに使用する回転式洗浄装置等に有用である。
【符号の説明】
【００３７】
１１  把手部
１２  操作杆
１３  ヘッド部
１４  回転ブラシ
１５  給水ホース
１６  給水操作栓
１７  給水チューブ
１８  噴射ノズル
１９  プッシュボタン
２０  電源スイッチ
２１  着脱ボタン
３１  モータ
３２  モータ支持カバー
３３  ギヤーボックス
３４  ブラシ取付カップ
３５  駆動軸
３６  ピニオンギヤー
３７  リード線
３８  接続端子
３９  中心孔
４０  モータ保持片
４１  取付突起
４２  保持突起
４３、４５  ねじ孔
４４  取付片
４６  軸
４７  小径ギヤー
４８  内ギヤー
５０  遮水部材
５１  プッシュレバー
【図１】
0003180624.tif 000003
【図２】
0003180624.tif 000004
【図３】
0003180624.tif 000005
【図４】
0003180624.tif 000006
【図５】
0003180624.tif 000007